(57)【要約】【課題】構成ユニットのレビジョンを簡単に確認が可能となり、作業効率の向上が図れる電子写真装置を提供する。【解決手段】本体及び構成ユニットの名称及びレビジョンに関する情報が格納された不揮発メモリを内蔵したＩＣチップとアンテナとで構成されたＩＣタグを備え簡単に本体及び構成ユニットのレビジョンを把握することができることを特徴とする。【選択図】図２
2009128546.tif 000002
【特許請求の範囲】
【請求項１】
電子写真装置における本体及び構成ユニットの名称及びレビジョンに関する情報が格納された不揮発メモリを内蔵したＩＣチップとアンテナとで構成されたＩＣタグを備えたことを特徴とする電子写真装置。
【請求項２】
前記本体及び構成ユニットのレビジョン情報が格納された不揮発メモリを内蔵したＩＣチップとアンテナとで構成されるＩＣタグと、前記電子写真装置本体に設けられ、前記ＩＣチップの情報を前記アンテナを介して読み込む非接触式ＩＣタグリーダ／ライタとを備えたことを特徴とする電子写真装置。
【請求項３】
前記非接触式ＩＣタグリーダ／ライタは、前記本体及び構成ユニットに装着された前記ＩＣタグ内の前記ＩＣチップの情報を読み込むことを特徴する請求項２記載の電子写真装置。
【請求項４】
前記電子写真装置本体に設けられた前記非接触式ＩＣタグリーダ／ライタが前記ＩＣチップの情報の読み込みオペレータパネルに表示させられることを特徴とする請求項３記載の電子写真装置。
【発明の詳細な説明】
【技術分野】
【０００１】
本発明は、電子写真法を用いる複写機、レーザビームプリンタ等の電子写真装置に関するものである。
【背景技術】
【０００２】
電子写真法を用いるカット紙レーザプリンタや複写機などの電子写真装置は、本体フレームに直接組み込まれる部品とユニット毎に取り外し可能となっている部品とから構成されている。一般に本体及び構成ユニットは品質改良等のために変更された場合、変更毎または対策項目毎にそれぞれレビジョンを設けて管理を行う。そのレビジョンを明記するために一般にラベルにアルファベットを印刷したものを使用し、対応するレビジョンを黒マジック等で塗りつぶして本体及び構成ユニットに貼り付ける。
【発明の開示】
【発明が解決しようとする課題】
【０００３】
本体及び構成ユニットが組み付けられた後に本体及び構成ユニットのレビジョンを確認しようとする場合、外装及び内装カバーや構成ユニットを取り外す必要があり、とても効率が悪い。また、構成ユニットの中には保守用として別梱包となって保管される場合があるが、一般に開梱しなければレビジョンを確認することができないため、必要以外の開梱及び再梱包を行う場合がありとても効率が悪い。
【０００４】
本発明の目的は、このような従来技術の欠点を解消し、構成ユニットのレビジョンを簡単に確認が可能となり、作業効率の向上が図れる電子写真装置を提供することにある。
【課題を解決するための手段】
【０００５】
上記目的を達成するために、本発明の第１の手段は、本体及び構成ユニットの名称及びレビジョンに関する情報が格納された不揮発メモリを内蔵したＩＣチップとアンテナとで構成されたＩＣタグを備え簡単に本体及び構成ユニットのレビジョンを把握することができることを特徴とするものである。
【０００６】
本発明の第２の手段は前記第１の手段において、前記電子写真装置本体に設けられ、前記ＩＣチップの情報を前記アンテナを介して読み込む非接触式ＩＣタグリーダ／ライタとを備えたことを特徴とするものである。
【０００７】
本発明の第３の手段は前記第２の手段において、前記非接触式ＩＣタグリーダ／ライタは、前記本体及び構成ユニットに装着された前記ＩＣタグ内の前記ＩＣチップの情報を読み込むことを特徴とするものである。
【０００８】
本発明の第４の手段は前記第３の手段において、前記電子写真装置本体に設けられた前記非接触式ＩＣタグリーダ／ライタが前記ＩＣチップの情報の読み込みオペレータパネルに表示させられることを特徴とするものである。
【発明の効果】
【０００９】
本発明によれば、構成ユニットのレビジョンを簡単に確認が可能となり、作業効率が向上する。
【発明を実施するための最良の形態】
【００１０】
本発明をレーザビームプリンタに適用した実施例を図を用いて以下説明する。図１は、本発明の実施形態に係る電子写真装置の概略構成図である。有機光導電体（ＯＰＣ）を有する感光体１は、帯電器２のコロナ放電によって表面を−極性に帯電する。プリンタで多用されている反転現像方式では、半導体レーザ等の光学系３によって、潜像が形成され、現像機４によって感光体１表面の電位と同極性である−極性トナー５を感光体１上に付着させる。用紙走行部材によって搬送された用紙６は、ガイド板７を経て、転写ベルト８に至る。転写ベルト８は、両端を駆動ローラ９と従動ローラ１０によって支持され、駆動ローラ９が回転することによって矢印方向に回転する。転写ベルト内部に設けられた転写器１１のワイヤ１２には、高圧電源１３から高電圧が印加されるので、コロナ放電によって、転写ベルト８表面には、トナーと逆極性の電荷が発生する。搬送された用紙６は、この電荷によってトナー画像を転写すると同時に用紙６を転写ベルト８に吸着し搬送する。転写ベルト８によって搬送された用紙６は、駆動ローラ９に至った後、除電器１４によって除電されてから定着機１５で定着され、一方、転写後の残留した感光体１上のトナーは、プレチャージ１６、イレーズランプ１７を経てクリーナ１８で清掃される。
【００１１】
図２はＩＣタグリーダ／ライタを搭載した電子写真装置の概略構成図である。図２に示すようにＩＣタグリーダ／ライタ２１は電子写真装置本体２０に組み込まれている。また、帯電器２、光学系３、現像機４、定着機１５、クリーナ１８、転写ユニット１９にはＩＣチップを搭載したタグ（荷札）２２が貼り付けられている。電子写真装置本体２０は、ＩＣタグリーダ／ライタ２１からのアンテナを通して、各構成ユニットに関する情報を読み書きすることができるようになっている。そして、各構成ユニット単体で組立完成時にＩＣタグリーダ／ライタ２１により各構成ユニットの名称及びレビジョンを電子写真装置本体２０に取り込んでいる。
【００１２】
図３は電子写真装置本体に設けられたオペレータパネルへの各構成ユニットの名称及びレビジョンの表示例を示す図である。
【００１３】
本体に各構成ユニットを組み込み、各構成ユニットのレビジョンの確認が必要な場合は前記電子写真装置本体２０に設けられたＩＣタグリーダ／ライタ２１がタグ２２の情報を読み込み、オペレータパネル２３に表示されて簡単に確認が可能となる。
【００１４】
また、保守用に梱包された構成ユニットも開梱することなくＩＣタグリーダ／ライタ２１により簡単に確認が可能となる。
【図面の簡単な説明】
【００１５】
【図１】電子写真装置の概略構成図である。
【図２】ＩＣタグリーダ／ライタを搭載した電子写真装置の概略構成図である。
【図３】オペレータパネルへの各構成ユニットの名称及びレビジョンの表示例を示す図である。
【符号の説明】
【００１６】
１は感光体、２は帯電器、３は光学系、４は現像機、５はトナー、６は用紙、７はガイド板、８は転写ベルト、９は駆動ローラ、１０は従動ローラ、１１は転写器、１２はワイヤ、１３は高圧電源、１４は除電器、１５は定着機、１６はプレチャージ、１７はイレーズランプ、１８はクリーナ、１９は転写ユニット、２０は電子写真装置本体、２１はＩＣタグリーダ／ライタ、２２はタグ、２３はオペレータパネルである。
【図１】
2009128546.tif 000003
【図２】
2009128546.tif 000004
【図３】
2009128546.tif 000005